(57)【要約】      （修正有）【課題】組立／分解の作業性及び耐衝撃性を向上させた電子機器を提供する。【解決手段】電子機器の一例である電子スチルカメラは、前面側に配置される前面カバーと、上面側に配置される上面カバー５０１と、背面側に配置される背面カバーとを備える。前面カバーを構成するＦインナーベース４０４は、背面カバーに向かって延出する腕部３０３ｃと、腕部３０３ｃに形成された穴部３０３ｄとを有し、上面カバー５０１は、穴部３０３ｄに挿入されて穴部３０３ｄと係止される爪部５０１ｃを有する。前面カバーと上面カバー５０１の動きを規制するように、背面カバーを構成するＲインナーベース４０４に腕部３０３ｃにおいて穴部３０３ｄが形成されている部分を爪部５０１ｃの根元に向けて押し込むように腕部３０３ｃの先端部と係止される突起部４０４ｃを設ける。【選択図】図７
2013152412.tif 000002
【特許請求の範囲】
【請求項１】
電子機器であって、
前記電子機器の本体の前面側に配置される前面カバーと、
前記本体の上面側に配置される上面カバーと、
前記本体の背面側に配置される背面カバーと、を備え、
前記前面カバーは、前記背面カバーに向かって延出する腕部と、前記腕部に形成された第１の穴部とを有し、
前記上面カバーは、前記第１の穴部に挿入されて前記第１の穴部と係止される第１の爪部を有し、
前記背面カバーは、前記腕部において前記第１の穴部が形成されている部分を前記第１の爪部の根元に向けて押し込むように前記腕部の先端部と係止される第１の突起部を有し、
前記腕部と前記第１の突起部との係止によって、前記腕部が延出する方向における前記前面カバーと前記上面カバーの動きが規制されることを特徴とする電子機器。
【請求項２】
前記腕部が延出する方向と直交する方向において前記上面カバーに対する前記背面カバーの動きが規制されるように、前記背面カバーに第２の突起部が設けられ、前記上面カバーに前記第２の突起部と係止される溝部が設けられていることを特徴とする請求項１記載の電子機器。
【請求項３】
前記腕部が延出する方向において前記上面カバーに対する前記背面カバーの動きか規制されるように、前記背面カバーに第２の穴部が設けられ、前記上面カバーに前記第２の穴部と係止される第２の爪部が設けられていることを特徴とする請求項１又は２に記載の電子機器。
【請求項４】
外部から信号を受信する受信センサが、前記上面カバーの直下において前記腕部の近傍に配置され、前記腕部と前記上面カバーは樹脂材料で形成されていることを特徴とする請求項１乃至３のいずれか１項に記載の電子機器。
【発明の詳細な説明】
【技術分野】
【０００１】
本発明は、電気回路を用いて情報を扱う電子機器に関し、特に電子機器の外装構造に関する。
【背景技術】
【０００２】
近年、電子機器であるデジタルカメラの分野では、ＧＰＳ（Global Positioning System）を利用して、撮影された画像や映像データに撮像場所の位置情報を付加する技術が用いられている。デジタルカメラの本体にＧＰＳ受信部を設けるときに電波受信性能を確保するためには、ＧＰＳ受信部を天空に向けて配設すると共にＧＰＳ電波の遮断が起こり難い部位に配設する必要がある。このような観点から、一般的にＧＰＳ受信部は、デジタルカメラにおいて通常の使用状態で上面となる部位に配設される。
【０００３】
デジタルカメラの上面部は常にユーザの目に入る部位であるため、外観デザインを向上させるために、デジタルカメラの上面部には金属製のカバーを設けることが望ましい。しかし、金属は電波を著しく減衰させてしまうために、ＧＰＳ電波が金属製のカバーにより遮断されてしまい、ＧＰＳ電波を良好に受信することができなくなってしまう。
【０００４】
そこで、ＧＰＳ受信部を搭載するデジタルカメラの外観構成として、カメラ薄型化（小型化）に応えると同時に高級感を出すために、外観部材である前後のカバーを金属部材で、上面のカバーを樹脂部材で構成する３ピース構成が知られている。
【０００５】
電子機器におけるカバー同士の締結構造については種々の提案がなされているが（例えば、特許文献１参照）、前述の３ピース構成の場合、例えば、前後それぞれのカバーから延ばした腕部を上面のカバーに設けた爪部に締結させる構成が用いられている。
【先行技術文献】
【特許文献】
【０００６】
【特許文献１】特開２０１１−９０８８０号公報
【発明の概要】
【発明が解決しようとする課題】
【０００７】
しかし、従来の腕部と爪部とを締結させる構造では、締結部の爪掛かり量が大きいと、組立／分解が困難になるという問題がある。例えば、デジタルカメラ等の撮像装置のように鏡筒が前面カバーから突出している場合、爪掛かり量が大きいと、爪を外す方向に前面カバーを回転させながら（例えば、卵割りのように）外す必要があり、光軸方向に沿って真直ぐ分解することができない。一方、締結部の爪掛かり量が小さいと、組立／分解は容易となるが、ユーザが誤って電子機器を落下させてしまう等したときに、前後のカバーが外れやすくなるという問題がある。更に、そのときに、外れたカバー或いは本体が破損して、ユーザが怪我をするおそれがある。
【０００８】
本発明は、組立／分解の作業性及び耐衝撃性を向上させた電子機器を提供することを目的とする。
【課題を解決するための手段】
【０００９】
本発明に係る電子機器は、前記電子機器の本体の前面側に配置される前面カバーと、前記本体の上面側に配置される上面カバーと、前記本体の背面側に配置される背面カバーと、を備え、前記前面カバーは、前記背面カバーに向かって延出する腕部と、前記腕部に形成された第１の穴部とを有し、前記上面カバーは、前記第１の穴部に挿入されて前記第１の穴部と係止される第１の爪部を有し、前記背面カバーは、前記腕部において前記第１の穴部が形成されている部分を前記第１の爪部の根元に向けて押し込むように前記腕部の先端部と係止される第１の突起部を有し、前記腕部と前記第１の突起部との係止によって、前記腕部が延出する方向における前記前面カバーと前記上面カバーの動きが規制されることを特徴とする。
【発明の効果】
【００１０】
本発明によれば、電子機器の組立／分解の作業性及び耐衝撃性を向上させることができる。すなわち、電子機器の外装を構成する前後のカバーの組立／分解を簡単に行うことが可能になり、一方で、外力が作用したときでもカバーを電子機器の本体から外れ難くすることができる。
【図面の簡単な説明】
【００１１】
【図１】本発明の実施形態に係る電子スチルカメラの前面側斜視図及び背面側斜視図である。
【図２】図１の電子スチルカメラの内部構成部品の分解斜視図、及び、内部構成部品が組み立てられた状態を示す上面図である。
【図３】図１のカメラ筐体を構成する前面カバーの分解斜視図である。
【図４】図１のカメラ筐体を構成する背面カバーの分解斜視図である。
【図５】図１のカメラ筐体を構成する上面カバーの斜視図、及び、上面カバーが図２の内部構成部品に保持された状態を示す斜視図である。
【図６】図３の前面カバーと図５の上面カバーとを締結させた状態を示す上面図、図３の前面カバー及び図４の背面カバーと図５の上面カバーとを締結された状態を示す上面図及び正面図である。
【図７】図３の前面カバーと図５の上面カバーとを締結させた状態を示す断面図（図６（ｃ）のＡ−Ａ断面図）、図３の前面カバー及び図４の背面カバーと図５の上面カバーとを締結された状態を示す断面図（図６（ｃ）のＡ−Ａ断面図、Ｂ−Ｂ断面図、Ｃ−Ｃ断面図）である。
【図８】図５の上面カバーが図２の内部構成部品に保持された状態を示す断面図（図６（ａ）のＥ−Ｅ断面図）である。
【発明を実施するための形態】
【００１２】
以下、本発明の実施形態について添付図面を参照して詳細に説明する。ここでは、電子機器として電子スチルカメラ（所謂、デジタルカメラ）を取り上げることとし、その外装カバーの締結構造を中心に詳細に説明する。
【００１３】
＜電子スチルカメラの外観構成＞
図１（ａ）は、本発明の実施形態に係る電子スチルカメラ１００の前面側（正面側）斜視図であり、図１（ｂ）は電子スチルカメラ１００の背面側斜視図である。
【００１４】
図１（ａ）に示すように、電子スチルカメラ１００において、カメラ筐体１０１の前面部には、撮影光学系を構成するレンズ鏡筒１０２が配置されている。カメラ筐体１０１の上面部には、電源ボタン１０３と、レリーズボタン１０４と、ポップアップストロボ１０５が配設されている。
【００１５】
図１（ｂ）に示すように、カメラ筐体１０１の背面部には、撮影画像の確認や再生、撮影条件等の各種情報を表示する液晶表示パネルを保護する保護窓１０６と、撮影モード等を変更するためのモードダイヤル１０７が配設されている。また、カメラ筐体１０１の背面部には、時計回り／反時計回りに回転可能で、上下左右４箇所と中央部１箇所に対し押し込み操作が可能な操作ダイヤル１０８と、再生モードやメニュー等を決定するための操作ボタン１０９が配設されている。
【００１６】
＜電子スチルカメラ１００の内部構造＞
図２（ａ）は、電子スチルカメラ１００の内部構成部品を電子スチルカメラ１００の背面側から見た分解斜視図であり、図２（ｂ）は、図２（ａ）に示す内部構成部品が組み立てられた状態を示す上面図である。
【００１７】
メインフレーム２０２は、電子スチルカメラ１００の本体内に配設される複数の部品を保持する。電池収納部２０１は、電子スチルカメラ１００を駆動するためのバッテリー等の電源部材を収納する。メインフレーム２０２に形成された貫通穴２０２ａと電池収納部２０１に形成されたボス２０１ａとを嵌合させることにより、電池収納部２０１はメインフレーム２０２に対して位置決めされる。また、メインフレーム２０２と電池収納部２０１とは、メインフレーム２０２に形成された貫通穴２０２ｂと電池収納部２０１に形成された締結穴２０１ｂにビス（不図示）等の締結部材を嵌挿することにより固定される。
【００１８】
図１に示す操作ダイヤル１０８や操作ボタン１０９を動作させる不図示のスイッチ類は不図示のフレキシブル基板等に実装され、そのフレキシブル基板等は操作プレート２０３に保持される。操作プレート２０３に形成された貫通穴２０３ａとメインフレーム２０２に形成されたボス２０２ｃとを嵌合させることにより、操作プレート２０３はメインフレーム２０２に対して位置決めされる。メインフレーム２０２に形成された締結穴２０２ｄと操作プレート２０３に形成された貫通穴２０３ｂとにビス（不図示）等の締結部材を嵌挿することにより、操作プレート２０３はメインフレーム２０２に固定される。
【００１９】
受信センサであるＧＰＳ受信部２０４は、ＧＰＳ衛星からのＧＰＳ電波を受信する。ＧＰＳ受信部２０４が受信したＧＰＳ電波は、ＧＰＳ信号処理部（不図示）によって処理され、これにより、ＧＰＳ受信部２０４の位置及びその位置における時刻が算出される。電子スチルカメラ１００では、算出された位置情報及び時刻情報は、撮影された画像／映像データと共に不図示の大容量内部メモリ又は大容量メモリカードに書き込まれる。画像／映像データと共に保存された位置情報及び時刻情報は、画像／映像の再生時に参照可能であり、例えば、画像／映像データの整理等に利用される。
【００２０】
ＧＰＳ受信部２０４は、ＧＰＳ受信部２０４に形成された貫通穴２０４ａとメインフレーム２０２に形成されたボス２０２ｅとを嵌合させることにより、メインフレーム２０２に対して位置決めされる。また、ＧＰＳ受信部２０４に形成された貫通穴２０４ｂとメインフレーム２０２に形成された締結穴２０２ｆ及び操作プレート２０３に形成された締結穴２０３ｃとに、ビス（不図示）等の締結部材が嵌挿される。これにより、ＧＰＳ受信部２０４は、メインフレーム２０２に固定されて、カメラ筐体１０１の上面側に配置される後述の上面カバー（後述する図５記載の上面カバー５０１）の直下に配置される。
【００２１】
なお、電池収納部２０１に形成された締結穴２０１ｄは、後述する通り、電池収納部２０１と後述する上面カバー５０１とを締結するために用いられる。また、操作プレート２０３に形成された軸２０３ｄは、上面カバー５０１に形成された穴部５０１ａとの嵌合に用いられる。
【００２２】
＜カメラ筐体１０１を構成する前面カバー３００の構造＞
図３は、カメラ筐体１０１を構成する前面カバー３００を電子スチルカメラ１００の前面側から見た分解斜視図である。前面カバー３００は、カメラ筐体１０１の前面側を構成する外装部材の一部である。前面カバー３００は、大略的に、フロントアウターベース（以下「Ｆアウターベース」と記す）３０１と、前面リング３０２と、フロントインナーベース（以下「Ｆインナーベース」と記す）３０３とによって構成されている。
【００２３】
Ｆインナーベース３０３に形成されたボス３０３ａとＡＦ窓３０４に形成された貫通穴３０４ａとを嵌合させることで、ＡＦ窓３０４はＦインナーベース３０３に対して置決めされ、ボス３０３ａと貫通穴３０４ａとは接着等により固定される。
【００２４】
Ｆアウターベース３０１に形成された貫通穴３０１ｃは、Ｆインナーベース３０３に固定されたＡＦ窓３０４の軸３０４ｂと嵌合し、Ｆインナーベース３０３に形成された凸形状部３０３ｂとＦアウターベース３０１に形成された長穴形状３０１ｄとが嵌合する。これにより、Ｆアウターベース３０１はＦインナーベース３０３に対して回転止めされた状態で位置決めされる。Ｆアウターベース３０１とＦインナーベース３０３とは、両面テープ或いは接着材によって接合される。
【００２５】
前面リング３０２に形成された外周面３０２ａとＦアウターベース３０１に形成された外周穴３０１ａとを嵌合させることで、前面リング３０２はＦアウターベース３０１に対して位置決めされる。前面リング３０２のＦアウターベース３０１に対する回転止めは、前面リング３０２に形成された溝部３０２ｂとＦアウターベース３０１に形成された突起部３０１ｂとを嵌合させて、この嵌合部を両面テープ或いは接着材により接合することによって行われる。
【００２６】
なお、本実施形態では、前面カバー３００を、独立した２つの部材であるＦアウターベース３０１とＦインナーベース３０３とで構成したが、樹脂材料を用いてこれらを一体化した構成としてもよい。また、Ｆアウターベース３０１と前面リング３０２とを独立した部品としたが、これらを樹脂材料或いは金属材料を用いて一体化した構成としてもよい。前面カバー３００から背面カバー４００に向けて延出するようにＦインナーベース３０３に形成された腕部３０３ｃと、この腕部３０３ｃに形成された穴部（第１の穴部）３０３ｄは、後述するように、上面カバー５０１との締結に用いられる。
【００２７】
＜カメラ筐体１０１を構成する背面カバー４００の構造＞
図４は、カメラ筐体１０１を構成する背面カバー４００を電子スチルカメラ１００の前面側から見た分解斜視図である。背面カバー４００は、大略的に、リアアウターベース（以下「Ｒアウターベース」と記す）４０１と、ＬＥＤ窓４０２と、操作ボタンベース４０３と、リアインナーベース（以下「Ｒインナーベース」と記す）４０４とによって構成されている。
【００２８】
背面カバー４００は、カメラ筐体１０１の背面側を構成する外装部材の一部である。ＬＥＤ窓４０２に形成された外観ボス４０２ａとＲアウターベース４０１に形成された貫通穴４０１ａとを嵌合させることで、ＬＥＤ窓４０２はＲアウターベース４０１に対して位置決めされる。
【００２９】
操作ボタンベース４０３に形成されたダイヤル外形部４０３ａをＲアウターベース４０１に形成された貫通穴４０１ｂに嵌合することにより、操作ボタンベース４０３はＲアウターベース４０１に対して位置決めされる。操作ボタンベース４０３のＲアウターベース４０１に対する回転止めは、ＬＥＤ窓４０２に形成されたボス４０２ｂと操作ボタンベース４０３に形成された貫通穴４０３ｂとを嵌合させ、この嵌合部を両面テープ或いは接着材で接合することによって行われる。
【００３０】
操作ボタンベース４０３に形成されたボス４０３ｃがＲインナーベース４０４に形成された貫通穴４０４ａに嵌合されることで、操作ボタンベース４０３とＲインナーベース４０４とが相対的に位置決めされる。Ｒインナーベース４０４の操作ボタンベース４０３に対する回転止めは、Ｒアウターベース４０１に形成された貫通穴４０１ｃとＲインナーベース４０４に形成された突起部４０４ｂとを嵌合させ、この嵌合部を両面テープ又は接着材で接合することにより行われる。
【００３１】
なお、本実施形態では、Ｒアウターベース４０１とＲインナーベース４０４とを独立した部品としたが、樹脂材料を用いてこれらを一体化した構成としてもよい。また、操作ボタンベース４０３とＲインナーベース４０４とを独立した部品としたが、樹脂材料を用いてこれらを一体化した構成としてもよい。後述するように、Ｒインナーベース４０４に形成された突起部（第１の突起部）４０４ｃはＦインナーベース３０３との係止に、穴部（第２の穴部）４０４ｄ及び突起部（第２の突起部）４０４ｅは上面カバー５０１との係止に用いられる。
【００３２】
＜カメラ筐体１０１を構成する上面カバー５０１の構造＞
図５（ａ）は、カメラ筐体１０１を構成する上面カバー５０１を電子スチルカメラ１００の底面側から見た斜視図であり、図５（ｂ）は、上面カバー５０１が図２に示した内部構成部品に保持された状態を電子スチルカメラ１００の前面側から見た斜視図である。図５を参照する以下の説明では、適宜、図２を参照することとする。
【００３３】
上面カバー５０１は、カメラ筐体１０１の上面側を構成する外装部材の一部である。上面カバー５０１に形成された穴部５０１ａと図２に示す操作プレート２０３に形成された軸２０３ｄとを嵌合させることで、上面カバー５０１は操作プレート２０３に対して位置決めされる。上面カバー５０１の操作プレート２０３に対する回転止めは、上面カバー５０１に形成された穴部５０１ｂと図２に示すメインフレーム２０２に形成された軸２０２ｅとを嵌合することによって行われる。
【００３４】
上面カバー５０１に形成された貫通穴５０１ｆと図２に示す電池収納部２０１に形成された締結穴２０１ｄとにビス（不図示）等の締結部材を嵌挿することにより、上面カバー５０１と電池収納部２０１とが締結される。なお、後述するように、上面カバー５０１に形成された爪部（第１の爪部）５０１ｃはＦインナーベース３０３との係止に用いられる。また、上面カバー５０１に形成された爪部（第２の爪部）５０１ｄ及び溝部５０１ｅはＲアウターベース４０１との係止に用いられる。
【００３５】
＜カメラ筐体１０１の組立（前面カバー３００及び背面カバー４００と上面カバー５０１との締結）＞
図６（ａ）は、前面カバー３００と上面カバー５０１とを締結させた状態を示す上面図である。図６（ｂ）は、前面カバー３００及び背面カバー４００と上面カバー５０１とを締結させた状態を示す上面図である。図６（ｃ）は、前面カバー３００及び背面カバー４００と上面カバー５０１とを締結させた状態を示す正面図である。
【００３６】
図７（ａ）は、前面カバー３００と上面カバー５０１とを締結させた状態を示す断面図であり、図６（ｃ）に示すＡ−Ａ断面図である。図７（ｂ）は、前面カバー３００及び背面カバー４００と上面カバー５０１とを締結させた状態を示す断面図であり、図６（ｃ）に示すＡ−Ａ断面図である。図７（ｃ）は、前面カバー３００及び背面カバー４００と上面カバー５０１とを締結させた状態を示す断面図であり、図６（ｃ）に示すＢ−Ｂ断面図である。図７（ｄ）は、前面カバー３００及び背面カバー４００と上面カバー５０１とを締結させた状態を示す断面図であり、図６（ｃ）に示すＣ−Ｃ断面図である。図８は、上面カバー５０１が図２の内部構成部品に保持された状態を示す断面図であり、図６（ａ）に示すＥ−Ｅ断面図である。
【００３７】
図７（ａ）に示すように、前面カバー３００を矢印Ｘ１で示されるカメラ光軸方向から真っ直ぐ組み込む。すると、Ｆインナーベース３０３の３箇所の腕部３０３ｃに形成された穴部３０３ｄに、上面カバー５０１に形成された３箇所の爪部５０１ｃが挿入され、爪部５０１ｃと穴部３０３ｄとが係止される。
【００３８】
このとき、図２に示すＧＰＳ受信部２０４の側面近傍にＦインナーベース３０３に形成された２箇所の腕部３０３ｃが挿通されることになるが、腕部３０３ｃは樹脂で形成されているため、腕部３０３ｃがＧＰＳ電波を減衰することはない。したがって、ＧＰＳ受信部２０４のＧＰＳ電波受信性能が損なわれることがない。
【００３９】
図７（ａ）の状態とした後、Ｒアウターベース４０１を矢印Ｘ２で示されるカメラ光軸方向から真っ直ぐ組み込む。すると、図７（ｂ）に示すように、Ｒインナーベース４０４の２箇所の突起部４０４ｃがそれぞれ、Ｆインナーベース３０３の２箇所の腕部３０３ｃの下側に潜り込んで、腕部３０３ｃを係止する。このとき、突起部４０４ｃは、腕部３０３ｃにおいて穴部３０３ｄが形成されている部分を、爪部５０１ｃの根元に向かって押し込むため、爪部５０１ｃが穴部３０３ｄから抜け難くなることによって、Ｆインナーベース３０３はカメラ光軸方向で抜け難くなる。
【００４０】
また、図７（ｂ）の状態になると同時に、図７（ｃ）に示すように、Ｒインナーベース４０４の２箇所の穴部４０４ｄと上面カバー５０１の２箇所の爪部５０１ｄとが係止される。更に、図７（ｄ）に示すように、Ｒインナーベース４０４の２箇所の突起部４０４ｅと上面カバー５０１の２箇所の溝部５０１ｅとが係止される。
【００４１】
このような構成によれば、図７（ｃ）に示す穴部４０４ｄと爪部５０１ｄとの係止により、カメラ光軸方向において、背面カバー４００（Ｒインナーベース４０４）と上面カバー５０１の動きが規制される。また、図７（ｄ）に示す突起部４０４ｅと溝部５０１ｅ係止により、カメラ光軸方向と直交する方向において、背面カバー４００（Ｒインナーベース４０４）と上面カバー５０１の動きが規制される。
【００４２】
更に、図７（ａ）に示す腕部３０３ｃの穴部３０３ｄと爪部５０１ｃとの係止により、カメラ光軸方向において、前面カバー３００（Ｆインナーベース３０３）と上面カバー５０１の動きが規制される。そして、上面カバー５０１のカメラ光軸方向での動きを規制している腕部３０３ｃは、図７（ｂ）に示す腕部３０３ｃと突起部４０４ｃとの係止により、カメラ光軸方向と直交する方向において動きが規制されている。これにより、爪部５０１ｃが腕部３０３ｃの穴部３０３ｄから外れ難く（抜け難く）なっている。
【００４３】
したがって、ユーザが電子スチルカメラ１００を不用意に落下等させて、不測の衝撃（外力）が電子スチルカメラ１００に作用しても、それぞれのカバーが開いたり、外れたりすることが防止され、優れた耐衝撃性が発揮される。一方、電子スチルカメラ１００の組立時には、前面カバー３００（Ｆインナーベース３０３）と背面カバー４００（Ｒインナーベース４０４）をカメラ光軸方向に真っ直ぐに組み込めばよい。したがって、組立が容易になり、組立工数を削減することができ、自動組立によるコストダウンを図ることも可能になる。
【００４４】
＜カメラ筐体１０１の分解（前面カバー３００及び背面カバー４００と上面カバー５０１の締結解除）＞
カメラ筐体１０１を分解する場合、図７（ｄ）に示すように、先ず、Ｒインナーベース４０４の突起部４０４ｅを回転中心として、卵割りを行うように、Ｒアウターベース４０１を矢印Ａ方向へ回転させる。背面カバー４００を構成する各部品は接合されて一体となっているので、この作業によって背面カバー４００を取り外すことができる。
【００４５】
背面カバー４００が外れると、図７（ａ）に示すように、Ｆインナーベース３０３の腕部３０３ｃの先端が露呈するので、腕部３０３ｃの先端部にピンセット等の工具（不図示）をあてて、矢印Ｂ方向に押し込む。これにより腕部３０３ｃが撓み、腕部３０３ｃに形成された穴部３０３ｄと上面カバー５０１に形成された爪部５０１ｃとの係止を解除することができる。その後、Ｆアウターベース３０１をカメラ光軸方向へ真っ直ぐ引き出せば、前面カバー３００を構成する各部品は接合されて一体となっているので、前面カバー３００を取り外すことができる。
【００４６】
したがって、本実施形態によれば、カメラ筐体１０１の組立のみならず、分解をも簡単に行うことができるため、修理、部品交換、内部清掃等のメンテナンス性を向上させることができる。
【００４７】
＜他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４８】
例えば、上記実施形態では、上面カバー５０１の爪部５０１ｃとＦインナーベース３０３の腕部３０３ｃに形成した穴部３０３ｄとを係止させたが、爪部と穴部とを逆に形成してもよい。つまり、上面カバー５０１に穴部を設け、Ｆインナーベース３０３の腕部３０３ｃに爪部を設けて、これらを係止させる構成としてもよい。同様に、上面カバー５０１の爪部５０１ｄとＲインナーベース４０４の穴部４０４ｄとを係止させたが、上面カバー５０１に穴部を設けると共にＲインナーベース４０４に爪部を設けて、これらを係止させる構成としてもよい。
【００４９】
また、本実施形態では、受信センサとして、ＧＰＳ電波を受信するＧＰＳ受信部２０４を配設したが、これに限られるものではない。例えば、外部から信号（無線信号）を受信する受信センサとして、ＷＩ−ＦＩ（登録商標）や携帯電話回線、衛星回線等の無線センサが配置された構成であってもよい。更に、本発明は、電子スチルカメラに限られず、一眼レフカメラ、レンズシャッタカメラ、ビデオカメラ等の各種のカメラや光学機器、携帯型デジタル音楽プレーヤ等の音響機器、携帯電話等の通信端末等の各種の電子機器に適用することができる。
【符号の説明】
【００５０】
１０１    カメラ筐体
３００    前面カバー
３０３    Ｆインナーベース
３０３ｃ    腕部
３０３ｄ    穴部（第１の穴部）
４００    背面カバー
４０４    Ｒインナーベース
４０４ｃ    突起部（第１の突起部）
４０４ｄ    穴部（第２の穴部）
５０１    上面カバー
５０１ｃ    爪部（第１の爪部）
５０１ｄ    爪部（第２の爪部）
５０１ｅ    溝部
２０４    ＧＰＳ受信部
【図１】
2013152412.tif 000003
【図２】
2013152412.tif 000004
【図３】
2013152412.tif 000005
【図４】
2013152412.tif 000006
【図５】
2013152412.tif 000007
【図６】
2013152412.tif 000008
【図７】
2013152412.tif 000009
【図８】
2013152412.tif 000010